(57)【特許請求の範囲】
【請求項１】
軸２の後半部を化粧用芯繰出し部３に、前半部を化粧用具部４に、それぞれ形成し、
上記化粧用具部４は、前端面にボカシ用のスポンジ状部５を付設した、軸中間部よりも小外径の円柱部６と、
該円柱部外面へ回動可能に嵌合させて、上下筒部分に筒方向への上下ガイド溝７、８を穿設した回動筒９と、
軸２の中間部外面へ、後方筒部を固着させて前方突出し、又後方筒部を除く筒部分の上部に摺動溝10を筒方向へ穿設した外筒11と、
上記外筒11と回動筒９との間へ、前後方向への摺動が可能に嵌合させた断面Ｕ字状で、かつ前上面を上後方への凸状弯曲面12となし、更に左右両側壁13、13の上部内面にレール状凹溝14、14を穿設した樋状カバー15と、
上記レール状凹溝14、14内へ、左右両側部を摺動可能に嵌合させて、樋状カバー15の上面および前面を閉塞する弾性天板16とで形成し、
樋状カバー15の後部から起立させた第１係合ピン17を上記下ガイド溝８の前端部内へ、かつ弾性天板16の後部から垂設した第２係合ピン19を上ガイド溝７の前端部内へ、それぞれ嵌合させると共に、弾性天板16後部から起立させた第１操作釦18を上記外筒11の摺動溝10内へ摺動可能に嵌合させ、
又上記上下ガイド溝７、８のうち上ガイド溝７は、回動筒前部に設けた第１直線溝部7a後端から、斜下後方への傾斜溝部7bを介して第２直線溝部7cを後方へ穿設し、又下ガイド溝８は上記傾斜溝部7bを有しない側の回動筒９他半部の周方向への横溝部8aを介して該横溝部先端から回動筒後方への第３直線溝部8bを穿設して、それぞれ形成し、第１操作釦18を介しての弾性天板16の後退により第２係合ピン19が傾斜溝部7b下端に位置したとき、第１係合ピン17は横溝部8aの先端へ移動して、このとき樋状カバー15と弾性天板16とは係合手段により係合し、かつこのとき弾性天板16前端は樋状カバーの前部上方へ移動して樋状カバー前面が開口可能となし、
又該位置から更に第１操作釦を後方移動させることで第１、第２係合ピン17、19が第３、および第２直線溝部8b,7c 後端まで移動したとき、樋状カバーおよび弾性天板の前端はスポンジ状部５よりも後方まで移動可能となし、
更に上記樋状カバーと弾性天板16との係合は、第１係合ピン17が第３直線状溝部8b前端に接し、かつ第２係合ピン19が第２直線状溝部7c前端から傾斜溝部7b内を前進することで離脱可能に形成した
ことを特徴とする化粧用ペンシル。
【請求項２】
外筒11の断面形状を、上面閉塞のＵ字形状に形成し、該外筒後部を嵌合させる軸２の中間部外面も、上記外筒後部を緊密に嵌合可能な断面形状とした
ことを特徴とする請求項１記載の化粧用ペンシル。
【請求項３】
樋状カバー15と弾性天板16との係合手段を、樋状カバーのレール状凹溝14の後部内面から突設した係合突部14a と、弾性天板16の後部側面に穿設した、上記係合突部嵌合用の凹部16a とで形成した
ことを特徴とする請求項１又は２記載の化粧用ペンシル。
【請求項４】
化粧芯繰出し部３を、軸２の中間部から後方へ突出した、後端面開口の管状部21と、該管状部内へ前半部を嵌着させて後方へ突出した、露出部分上部に前後両端閉塞の長孔23を穿設したガイド筒22と、該ガイド筒内へ前後方向への摺動が可能に嵌合させた後部を後端面開口の管部とする棒状筒24と、該棒状筒前部に植設して上記長孔23を通って起立する第２操作釦25と、上記棒状筒の管部内へ前部を着脱可能に嵌合させてガイド筒22内へ挿入させた化粧芯26とで形成し、
上記第２操作釦25を長孔23に沿って後方及び前方へ摺動させることで、化粧芯26後端部をガイド筒後端から出入可能に形成した
ことを特徴とする請求項１、２又は３記載の化粧用ペンシル。
【発明の詳細な説明】
本発明は、化粧用ペンシルに関する。
【０００１】
【発明の技術分野】
例えば眉墨を使用する際、眉墨芯を有するペンシルで眉を描いた後に、スポンジ等を先端部に有する化粧用具で、上記描出した眉をボカすが、上記ペンシルと化粧用具とは別部材とされ、又それぞれにキャップを嵌合させていた。アイシャドウを行う場合もほぼ同様である。
【０００２】
【発明が解決しようとする課題】
上記従来の化粧用ペンシル、および化粧用具は別々に形成していたから、一方を紛失する等の不便があり、又それぞれにキャップを嵌合させていたからその着脱が不便であると共にそのキャップ紛失のおそれもあった。
【０００３】
本発明は、棒状主部材の後半部を化粧芯繰出し部に、前半部を上記ボカシ用スポンジを先端部に有する化粧用具部に、それぞれ形成して、化粧芯は主部材後半部内から出入可能に、又化粧用具部外面には、操作釦によって前面を開放した後に後退して上記スポンジを露出できると共に、前進した後に前面を閉塞する筒状部を嵌合させ、上記化粧芯の出入および、スポンジの露出および収納が片手操作で行えるよう設けたものである。
【０００４】
【課題を解決するための手段】
第１の手段として、軸２の後半部を化粧用芯繰出し部３に、前半部を化粧用具部４に、それぞれ形成し、
上記化粧用具部４は、前端面にボカシ用のスポンジ状部５を付設した、軸中間部よりも小外径の円柱部６と、
該円柱部外面へ回動可能に嵌合させて、上下筒部分に筒方向への上下ガイド溝７、８を穿設した回動筒９と、
軸２の中間部外面へ、後方筒部を固着させて前方突出し、又後方筒部を除く筒部分の上部に摺動溝10を筒方向へ穿設した外筒11と、
上記外筒11と回動筒９との間へ、前後方向への摺動が可能に嵌合させた断面Ｕ字状で、かつ前上面を上後方への凸状弯曲面12となし、更に左右両側壁13、13の上部内面にレール状凹溝14、14を穿設した樋状カバー15と、
上記レール状凹溝14、14内へ、左右両側部を摺動可能に嵌合させて、樋状カバー15の上面および前面を閉塞する弾性天板16とで形成し、
樋状カバー15の後部から起立させた第１係合ピン17を上記下ガイド溝８の前端部内へ、かつ弾性天板16の後部から垂設した第２係合ピン19を上ガイド溝７の前端部内へ、それぞれ嵌合させると共に、弾性天板16後部から起立させた第１操作釦18を上記外筒11の摺動溝10内へ摺動可能に嵌合させ、
又上記上下ガイド溝７、８のうち上ガイド溝７は、回動筒前部に設けた第１直線溝部7a後端から、斜下後方への傾斜溝部7bを介して第２直線溝部7cを後方へ穿設し、又下ガイド溝８は上記傾斜溝部7bを有しない側の回動筒９他半部の周方向への横溝部8aを介して該横溝部先端から回動筒後方への第３直線溝部8bを穿設して、それぞれ形成し、第１操作釦18を介しての弾性天板16の後退により第２係合ピン19が傾斜溝部7b下端に位置したとき、第１係合ピン17は横溝部8aの先端へ移動して、このとき樋状カバー15と弾性天板16とは係合手段により係合し、かつこのとき弾性天板16前端は樋状カバーの前部上方へ移動して樋状カバー前面が開口可能となし、
又該位置から更に第１操作釦を後方移動させることで第１、第２係合ピン17、19が第３、および第２直線溝部8b,7c 後端まで移動したとき、樋状カバーおよび弾性天板の前端はスポンジ状部５よりも後方まで移動可能となし、
更に上記樋状カバーと弾性天板16との係合は、第１係合ピン17が第３直線状溝部8b前端に接し、かつ第２係合ピン19が第２直線状溝部7c前端から傾斜溝部7b内を前進することで離脱可能に形成した。
【０００５】
第２の手段として、上記第１の手段を有すると共に、外筒11の断面形状を、上面閉塞のＵ字形状に形成し、該外筒後部を嵌合させる軸２の中間部外面も、上記外筒後部を緊密に嵌合可能な断面形状とした。
【０００６】
第３の手段として、上記第１又は第２の手段を有すると共に、樋状カバー15と弾性天板16との係合手段を、樋状カバーのレール状凹溝14の後部内面から突設した係合突部14a と、弾性天板16の後部側面に穿設した、上記係合突部嵌合用の凹部16a とで形成した。
【０００７】
第４の手段として、上記第１、第２又は第３の手段を有すると共に、化粧芯繰出し部３を、軸２の中間部から後方へ突出した、後端面開口の管状部21と、該管状部内へ前半部を嵌着させて後方へ突出した、露出部分上部に前後両端閉塞の長孔23を穿設したガイド筒22と、該ガイド筒内へ前後方向への摺動が可能に嵌合させた後部を後端面開口の管部とする棒状筒24と、該棒状筒前部に植設して上記長孔23を通って起立する第２操作釦25と、上記棒状筒の管部内へ前部を着脱可能に嵌合させてガイド筒22内へ挿入させた化粧芯26とで形成し、
上記第２操作釦25を長孔23に沿って後方及び前方へ摺動させることで、化粧芯26後端部をガイド筒後端から出入可能に形成した。
【０００８】
【発明の実施の形態】
以下図面について説明すると、１は本発明に関する化粧用ペンシルの全体を示す。該ペンシルは軸２の後半部を化粧用芯繰出し部３に、又前半部を化粧用具部４に、それぞれ形成している。
【０００９】
上記化粧用具部４は、前端面に眉墨ボカシ用のスポンジ状部５を付設した軸中間部よりも小外径の円柱部６と、該円柱部外面へ回動可能に嵌合させて、上下筒部分に筒方向への上下ガイド溝７、８を穿設した回動筒９と、軸２の中間部外面へ後方筒部を嵌着させて前方突出し、又その後方筒部を除く筒部分の上部に摺動溝10を筒方向へ穿設した外筒11と、上記外筒と回動筒との間へ、前後方向への摺動が可能に嵌合させた断面Ｕ字状で、かつ前面を上後方への弯曲面12となし、又左右両側壁13、13の上部内面へ、上記弯曲面部分を含めてレール凹溝14、14を穿設した樋状カバー15と、上記レール状凹溝14、14内へ、左右両側部を摺動可能に嵌合させて、上記樋状カバー15の前部上面および前面を閉塞する弾性天板16とで形成している。
【００１０】
上記回動筒９の上ガイド溝７は、図２と図３とが示すように、回動筒前部に設けた第１直線溝部7a後端から、斜下後方への傾斜溝部7bを介して第２直線溝部7Cを後方へ穿設して形成する。又下ガイド溝８は、上記傾斜溝部を有しない側の回動筒他半部の周方向へ横溝部8aを穿設し、又該横溝部先端から回動筒後方へ第３直線溝部8bを穿設している。尚それ等両溝前方には、ストッパを有する案内溝を設けることが望ましい。上下両ガイド溝７、８については更に後述する。
【００１１】
外筒11は、図７等が示すように、上面を閉塞するＵ字形状断面とし、かつその後部を除く筒部分上部に摺動溝10を穿設して形成するとよい。軸２中間部は、上記外筒後部嵌合のために該外筒後部断面と同形状に形成している。
【００１２】
樋状カバー15は、上記外筒11と回動筒９との間へ、前後方向への摺動が可能に嵌合させた、断面Ｕ字状でかつ前面を上後方への凸状弯曲面12となし、又左右両側壁13、13の上部内面にレール状凹溝14、14を穿設している。該レール状凹溝の後部には係合突部14a,14a を付設すると共に、それ等両凹溝後端は閉塞し、又該カバーの底面から第１係合ピン17を起立し、該ピンを下ガイド溝８の基端部内に嵌合させている。
【００１３】
弾性天板16は、上記レール状凹溝14、14内へ左右両側部を摺動可能に嵌合させて、樋状カバー15の上面および前面を閉塞する。又該弾性天板の後部からは第１操作釦18を起立させて既述外筒11の摺動溝10内へ摺動可能に嵌合させている。又弾性天板の後部下面からは第２係合ピン19を垂下させて上ガイド溝７の前端部内へ嵌合させている。更に図４が示すように弾性天板後部の左右両側面へは、樋状カバーのレール状凹溝14後部に設けた係合突部14a,14a 嵌合用の凹部16a,16a を設けている。
【００１４】
既述円柱部６と、回動筒９と、外筒11と、樋状カバー15と、弾性天板16とは次のような関係を有する。
【００１５】
即ち、図２が示すように、樋状カバー15および弾性天板16が前限にあって、スポンジ状部５が収納された状態から、第１操作釦18を後方へ押すと、該操作釦下方の第２係合ピン19は第１直線状溝部7aを通って後退する。このとき樋状カバー15も弾性天板左右両側とレール状凹溝14、14との摩擦抵抗により後方へ引かれるが、該樋状カバーの第１係合ピン17は、図３が示すように下ガイド溝８の横溝部8a基端内に位置するため樋状カバー15は後退しない。よって第２係合ピン19が第１直線状溝部7aの後端まで移動したとき、弾性天板16は上後方へ移動して樋状カバー15の前面下部を開口する。
【００１６】
続いて第２係合ピン19が傾斜状溝部7b内を後退することで回動筒９は回動することとなり、よって樋状カバーの第１係合ピン17は横溝部8aを先端方向へ移動して、第２係合ピン19が傾斜溝部7b下端に達したとき、第１係合ピン17は横溝部先端に達する。このとき、弾性天板後部の左右両側に設けた凹部16a,16a 内へ、樋状カバーのレール状凹溝14、14後部に設けた係合突部14a,14a が図５が示すように嵌合する。よって更に第１操作釦18を後方へ押すと、第２係合ピン19は第２直線状溝部7cを、又第１係合ピン17は第３直線状溝部8bを、それぞれ後退して、樋状カバー15と弾性天板16とは図６が示すように共に後限まで後退し、このとき図９が示すように円柱部６の前部は外方へ露出し、スポンジ状部５の使用が可能となる。
【００１７】
スポンジ状部５使用後は、図６、図９の状態から第１操作釦18を前方へ押す。該前方押圧により、樋状カバー15と弾性天板16とは、上記のように凹部16a,16a 内へ係合突部14a,14a が嵌合しているため、共に前進し、第１係合ピン17が横溝部8a先端に達したとき、樋状カバー15は停止し、このとき第２係合ピン19は第２直線溝部7cの前端に達している。該状態での樋状カバー15および弾性天板16の位置を図５が示す。
【００１８】
更に第１操作釦18を前方へ押圧することで第２係合ピン19は傾斜溝部7bを、回動筒を回動させ乍ら前進し、該回動筒の回動によって第１係合ピン17は停止したまま横溝部8aの基端へ移動することとなる。又このとき第１係合ピン17を有する樋状カバー15は停止したままであるに対して、第２係合ピンを有する弾性天板16は前進することとなるため、凹部16a,16a 内への係合突部14a,14a 嵌合による、樋状カバーと弾性天板との係合は外れる。
【００１９】
第２係合ピン19が傾斜溝部7bの前端に達したとき第１係合ピン17は横溝部8aの基端に達し、更に第１操作釦18を前方へ押圧することで第２係合ピン19は第１直線状溝7aを前進し、よって図４が示すように弾性天板16は樋状カバー15の上面および前面を閉塞する。
【００２０】
軸２後半部が形成する化粧芯繰出し部３は次のように構成するとよい。図１および図10が示すように、軸２中間部から後端面開口の管状部21を後方へ突出し、該管状部内へガイド筒22の前半部を緊密に嵌合させる。該ガイド筒露出部分の中間部上面には前後両端面閉塞の長孔23を穿設しており、かつガイド筒後部は後端に向けて徐々に小外径化させている。該ガイド筒内へは前部を棒とし、かつ後部を後端面開口の管部とする棒状筒24を嵌合させ、かつ該棒状筒前部に植設し、長孔23に通して第２操作釦25を起立させ、又上記管部内へ前部を着脱自在に嵌合し化粧芯26をガイド筒22内へ挿入させ、第２操作釦を長孔に沿って後方および前方へ摺動させることで、上記化粧芯後端部をガイド筒後端から出入可能に形成している。
【００２１】
【発明の効果】
本発明は既述のように軸後半部を化粧用芯繰出し部３に、又軸前半部を化粧用具部４に、それぞれ形成したから、それ等を別々に形成した場合のように、その一方を紛失等するおそれがない。又化粧用具部４は、既述構成の円柱部６と、回動筒９と、外筒11と、樋状カバー15と、弾性天板16とで形成し、弾性天板後部から起立させた第１操作釦18を後方へ、又前方へ押すことで、弾性天板前部が樋状カバー前面を開閉すると共に、又該樋状カバー前面開放状態でそれ等樋状カバーと弾性天板とが共に後退し、又前進して円柱部前面に付設したスポンジ状部５を樋状カバー前方へ露出し、又そのスポンジ状部を樋状部材と弾性天板とが前進位置で形成する、前面閉塞の筒状部内へ収納するよう設けたから、片手操作による第１操作釦18の後退と前進とで上記スポンジ状部の露出と収納が出来る。  上記スポンジ状部の露出を行うためには、始め樋状カバー15に対して弾性天板16を、樋状カバー前面が開口するまでは弾性天板だけが後退し、開口後は弾性天板と樋状カバー15とが共に後退することが必要であり、又上記収納を行うためには、始め弾性天板と樋状カバーとが所定位置まで共に前進した後に、弾性天板だけが前進して樋状カバー前面を閉塞することが必要となるが、本発明では上ガイド溝７を、第１直線溝部7a後端から下後方への傾斜溝部7bを介して第２直線溝部7cを後方へ穿設して形成し、又下ガイド溝８は、横溝部8aを介して第３直線溝部8bを後方へ穿設して形成し、更に第２係合ピン19が傾斜溝部7bを通過することでの回動筒９の回動により第１係合ピン17は横溝部8aを通過して、第２係合ピン19が傾斜部7b後端に、かつ第１係合ピン17が横溝部8aの先端に、それぞれ位置したときには樋状カバー15と弾性天板16とが係合し、又第１係合ピンが横溝部8a前面に接し、かつ第２係合ピン19が傾斜溝部7bを前進することで上記係合が外れるよう形成したから、上記スポンジ状部材露出のために行う、弾性天板単独後退後における弾性天板および樋状カバーの同時後退、および上記スポンジ状部材収納のために行う、上記両者の同時前進後における弾性天板だけの単独前進を確実に行うことが出来る。
【００２２】
請求項２記載のように外筒11断面形状を、上面閉塞のＵ字形状に形成し、該筒後部を嵌合させる軸中間部の外面も外筒後部を緊密に嵌合可能な断面形状とすることで、その外筒11内へ嵌合させる、断面Ｕ字形状をなす樋状カバー15のガタ付きを少なくすることが出来る。
【００２３】
請求項３のように、樋状カバーと弾性天板との係合手段を樋状カバーのレール状凹溝14の後部内面から突設した係合突部14a と、弾性天板16の後部側面に穿設した凹部16a とで形成することで、その係合手段の形成が容易となる。
【００２４】
請求項４のように化粧芯繰出し部３を形成することで、その構成を容易とすることが出来る。
【図面の簡単な説明】
【図１】  本発明ペンシルの断面図である。
【図２】  図１要部の拡大断面図である。
【図３】  ペンシル主要部材である回動筒の展開図である。
【図４】  ペンシル主要部材である、樋状カバーおよび弾性天板が前限に位置する状態での説明図である。
【図５】  上記樋状カバーに対して弾性天板が後限まで後退した状態の説明図である。
【図６】  樋状カバーおよび弾性天板がペンシル軸に対して後限まで後退した状態の説明図である。
【図７】  図４の状態を示す、ペンシル前部の斜視図である。
【図８】  図５の状態を示す、ペンシル前部の斜視図である。
【図９】  図６の状態を示す、ペンシル前部の斜視図である。
【図１０】  ペンシル後部の斜視図である。
【符号の説明】
３…化粧芯繰出し部                ４…化粧用具部
６…円柱部                        ９…回動筒
11…外筒                          15…樋状カバー
16…弾性天板                      21…管状部
【図１】
0003698245.tif 000002
【図２】
0003698245.tif 000003
【図３】
0003698245.tif 000004
【図４】
0003698245.tif 000005
【図５】
0003698245.tif 000006
【図６】
0003698245.tif 000007
【図７】
0003698245.tif 000008
【図８】
0003698245.tif 000009
【図９】
0003698245.tif 000010
【図１０】
0003698245.tif 000011